(57)【要約】【課題】  片手で操作しても、カメラの重みで支軸が倒れることなく、所望の角度に支軸を傾けられるようにする。【解決手段】  ステージ（２）上に載置された被観察物に対して、カメラ（Ｃ）を任意の傾斜角度に固定する際に、カメラ（Ｃ）を任意の高さに取付支持する支軸（３）を水平回転軸（４）の回りに揺動自在に支持する揺動支持部（Ｐ）に、支軸（３）の揺動を停止させるストッパ（Ｓ）が設けられると共に、そのストッパ（Ｓ）の操作子（５）を支軸先端（３ａ）に取り付けた。【選択図】図１
2007064418.tif 000002
【特許請求の範囲】
【請求項１】
ステージ上に載置された被観察物に対して、カメラを任意の傾斜角度に固定するカメラスタンドであって、
カメラを任意の高さに取付支持する支軸を水平回転軸の回りに揺動自在に支持する揺動支持部に、支軸の揺動を停止させるストッパが設けられると共に、そのストッパの操作子が支軸先端に取り付けられたことを特徴とするカメラスタンド。
【請求項２】
前記揺動支持部は、前記支軸が、軸受孔に挿通されて回動可能に支持された水平回転軸に固定され、水平回転軸の周面には、軸方向に延びるキー溝が形成されると共に、前記軸受孔の内周面に沿って形成された環状リブに対応する位置に凹溝が設けられ、
前記ストッパは、環状リブを支点とする梃子が前記キー溝内に配設され、前記支軸に挿通された操作ロッドを支軸先端に設けられた操作子のネジ送りにより進退させて梃子の片端を押圧して傾動させることによって水平回転軸を軸受孔に圧し当て、支軸を任意の傾斜角度に締付固定するように成された請求項１記載のカメラスタンド。
【請求項３】
前記揺動支持部は、前記支軸が、軸受孔に挿通されて回動可能に支持された水平回転軸に固定され、水平回転軸の周面には、軸方向に延びるキー溝が形成されると共に、周方向に凹溝が設けられ、
前記ストッパは、前記凹溝に係合されて軸受孔の内周面を周方向に摺動する円弧状ブロックを支点とする梃子が前記キー溝内に配設され、前記支軸に挿通された操作ロッドを支軸先端に設けられた操作子のネジ送りにより進退させて梃子の片端を押圧して傾動させることによって水平回転軸を軸受孔に圧し当て、支軸を任意の傾斜角度に締付固定するように成された請求項１記載のカメラスタンド。
【発明の詳細な説明】
【技術分野】
【０００１】
本発明は、ステージ上に載置された被観察物に対して、カメラを任意の傾斜角度に固定するカメラスタンドに関する。
【背景技術】
【０００２】
近年、デジタルカメラを用いた拡大観察装置が光学顕微鏡に変わって普及しつつあり、このような拡大観察装置を用いて被観察物を撮像する場合に、拡大観察装置を固定するカメラスタンドが用いられる。
この種のカメラスタンドは、カメラを任意の高さに取付支持する支軸が水平回転軸の回りに揺動自在に支持され、支軸を任意の傾斜角度で締付固定することができるように、固定ネジが水平回転軸の近傍に設けられている。
そして、カメラを任意の角度に傾ける場合は、水平回転軸近傍に設けられた固定ネジのつまみを操作して固定ネジを緩め、支軸を所望の角度に傾けた後、そのつまみを締め付けることにより支軸を固定している。
【特許文献１】特開２００１−５９５９９号公報
【０００３】
しかしながら、固定ネジのつまみは水平回転軸近傍に設けられており、重量のあるカメラは支軸の先端側に取付固定されているため、つまみを操作して固定ネジを弛めたときに、カメラの自重により支軸が倒れてカメラを壊すおそれがある。
このため、カメラを任意の角度に傾ける場合は、支軸が倒れないように必ず一方の手で支軸先端を押え、他方の手で水平回転軸近傍に設けられた固定ネジのつまみを操作するというように、両手で操作しなければならない面倒がある。
【発明の開示】
【発明が解決しようとする課題】
【０００４】
そこで本発明は、片手で操作しても、カメラの重みで支軸が倒れることなく、所望の角度に支軸を傾けられるようにすることを技術的課題としている。
【課題を解決するための手段】
【０００５】
この課題を解決するため、請求項１の発明は、ステージ上に載置された被観察物に対して、カメラを任意の傾斜角度に固定するカメラスタンドであって、カメラを任意の高さに取付支持する支軸を水平回転軸の回りに揺動自在に支持する揺動支持部に、支軸の揺動を停止させるストッパが設けられると共に、そのストッパの操作子が支軸先端に取り付けられたことを特徴としている。
請求項２の発明は、前記支軸が、軸受孔に挿通されて回動可能に支持された水平回転軸に固定され、水平回転軸の周面には、軸方向に延びるキー溝が形成されると共に、前記軸受孔の内周面に沿って形成された環状リブに対応する位置に凹溝が設けられ、ストッパは、環状リブを支点とする梃子が前記キー溝内に配設され、前記支軸に挿通された操作ロッドを支軸先端に設けられた操作子のネジ送りにより進退させて梃子の片端を押圧して傾動させることによって水平回転軸を軸受孔に圧し当て、支軸を任意の傾斜角度に締付固定するように成されている。
【発明の効果】
【０００６】
本発明のカメラスタンドによれば、支軸の揺動を停止させるストッパが水平回転軸に設けられると共に、そのストッパの操作子が支軸先端に設けられているので、片手で支軸先端の操作子を操作してストッパを緩めて、そのまま支軸を所望の角度に傾斜させた後、支軸先端を持っている手でストッパの操作子を締め付けて、支軸を固定することができる。
この場合に、ストッパとして、支軸が取り付けられた水平回転軸のキー溝内に、軸受孔の内周面に沿って形成された環状リブを支点とする梃子を配設し、支軸に挿通された操作ロッドを支軸先端に設けられた操作子によりネジ送りすれば、梃子の片端が押圧されて傾動し、水平回転軸が軸受孔に圧し当てられて各軸に固定することができる。
【発明を実施するための最良の形態】
【０００７】
本例では、片手で操作してもカメラの重みで支軸が倒れることなく、所望の角度に支軸を傾けられるようにするという目的を達成するため、カメラを任意の高さに取付支持する支軸の先端に、支軸の揺動を停止させるストッパの操作子を設けた。
【０００８】
図１は本発明に係るカメラスタンドの一例を示す側面図、図２はその正面図、図３は要部を示す説明図である。
【実施例１】
【０００９】
本例のカメラスタンド１は、ステージ２上に載置された被観察物に対して、カメラＣを任意の傾斜角度に固定するために用いられるもので、カメラＣを任意の高さに取付支持するパイプ状の支軸３を揺動自在に支持する揺動支持部Ｐに、支軸３の揺動を停止させるストッパＳが設けられると共に、そのストッパＳの操作子５が支軸先端３ａに取り付けられている。
【００１０】
揺動支持部Ｐは、支軸３を固定する水平回転軸４と、その水平回転軸４を回動可能に支持する軸受孔９が形成された軸受ブロック８からなり、軸受ブロック８はベース６に立設された固定支柱７の上端に設けられている。
水平回転軸４の周面には、軸方向に延びるキー溝４ａが形成されると共に、軸受孔９の内周面に沿って形成された環状リブ１０に対応する位置に凹溝４ｂが設けられている。
【００１１】
ストッパＳは、環状リブ１０を支点とする梃子１１が水平回転軸４のキー溝４ａ内に配設され、支軸３に挿通されたパイプ状の操作ロッド１２を支軸先端３ａに設けられた球状の操作子５によりネジ送りすることにより梃子１１の片端１１ａを押下させて梃子１１をキー溝４ａ内で傾動させ、これにより水平回転軸４を軸受孔９の内周面に圧し当ててその摩擦で水平回転軸４を軸受孔９に対して固定させ、その結果、支軸３が任意の傾斜角度で締付固定されるようになっている。
なお、操作子５には支軸先端３ａに形成された雌ネジ３ｂと係合する雄ネジ５ａが形成され、その雄ネジ５ａと操作ロッド１２の間と、操作ロッド１２と梃子１１の間には、押圧力が偏らないようにするための球体１３及び１４が介装されている。
【００１２】
以上が本発明の一構成例であって、次にその作用について説明する。
カメラスタンド１の操作子５が締め付けられた状態では、ストッパ５の梃子１１が傾斜され、水平回転軸４が軸受孔９の内周面に圧し当てられてその摩擦で軸受孔９に対して固定されており、その結果、支軸３が任意の傾斜角度で確りと締付固定されている。
この状態で、支軸３に装着された高さ調整用ブラケット１５にカメラＣを固定し、所望の高さに調整すれば、支軸３はストッパＳにより固定されているので、カメラＣの自重で倒れることもない。
【００１３】
次いで、撮像角度を調整しようとする場合は、操作子５を片手で握ってネジを緩めれば、梃子１１の片短１１ａを押下していた操作ロッド１２の押圧力が弱まるので、水平回転軸４を軸受孔９の内周面に圧し当てていた梃子１１がキー溝４ａ内でフリーになり、水平回転軸４が回動可能となる。
このとき、支軸３の先端３ａの操作子５を片手で握っているので、カメラＣの自重で支軸３が勝手に倒れることもない。
【００１４】
そして、操作子５を片手で握ったままその手で支軸３を所望の角度まで傾けた状態で、握っている操作子５を締め付ければ、支軸３に挿通されたパイプ状の操作ロッド１２が支軸先端３ａに設けられた球状の操作子５によりネジ送りされ、梃子１１の片端１１ａを押下して梃子１１をキー溝４ａ内で傾動させ、これにより水平回転軸４が軸受孔９の内周面に圧し当てられるので、その摩擦で水平回転軸４が軸受孔９に対して固定され、その結果、支軸３が任意の傾斜角度で締付固定される。
【００１５】
このように、片手で支軸先端３ａの操作子５を握ったまま、操作子５を緩めたり締め付けたりできるだけでなく、その手で支軸３を所望の角度に傾けることができるので、両手を使うことなく角度調整でき、しかも、角度調整している間は片手で必ず支軸先端３ａの操作子５を握っているので、誤って支軸３を倒してしまうこともない。
【実施例２】
【００１６】
また、図４は他の実施形態素示す。なお、図１及び２と共通する部分は同一符号を付して詳細説明を省略する。
本例では、揺動支持部Ｐは、支軸３が、軸受孔９に挿通されて回動可能に支持された水平回転軸４に固定され、水平回転軸４の周面には、軸方向に延びるキー溝４ａが形成されると共に、周方向に凹溝４ｂが設けられている。
ストッパＳは、前記凹溝４ｂに係合されて軸受孔９の内周面を周方向に摺動する円弧状ブロック１６を支点とする梃子１１が前記キー溝４ａ内に配設され、支軸３に挿通された操作ロッド１２を支軸先端３ａに設けられた操作子５によりネジ送りすることにより梃子１１の片端１１ａを押圧して傾動させ、水平回転軸４を軸受孔９に圧し当てて支軸３を任意の傾斜角度で締付固定するように成されている。
その他の構成及び作用効果については、実施例１の場合と同様である。
【００１７】
なお、上述の説明では、いずれも、揺動支持部Ｐとして、固定された軸受ブロック８の軸受孔９に水平回転軸４を回動自在に支持させ、その水平回転軸４に支軸３を取付固定した場合について説明したが、これに限らず、例えば、固定された水平回転軸に軸受ブロックを回動可能に外装し、その軸受ブロックに支軸３を取り付ける場合であっても良い。
【産業上の利用可能性】
【００１８】
以上述べたように、本発明は、ステージ上に載置された被観察物に対して、カメラを任意の傾斜角度に固定するカメラスタンドの用途に適用することができる。
【図面の簡単な説明】
【００１９】
【図１】本発明に係るカメラスタンドの一例を示す側面図。
【図２】その正面図。
【図３】要部を示す説明図。
【図４】他の実施形態の要部を示す説明図。
【符号の説明】
【００２０】
１  カメラスタンド
２  ステージ
Ｃ  カメラ
３  支軸
３ａ  支軸先端
Ｐ  揺動支持部
４  水平回転軸
Ｓ  ストッパ
５  操作子
９  軸受孔
１０  環状リブ
１１  梃子
１１ａ  片端
１２  操作ロッド
【図１】
2007064418.tif 000003
【図２】
2007064418.tif 000004
【図３】
2007064418.tif 000005
【図４】
2007064418.tif 000006